(57)【特許請求の範囲】
【請求項１】
テレビジョン信号とＦＭ放送信号とを中間周波信号に周波数変換する混合器と、前記混合器に局部発振信号を出力する局部発振器と、前記局部発振信号の周波数を前記テレビジョン信号の周波数または前記ＦＭ放送信号の周波数に対応して設定するとともに、一定に制御するＰＬＬ回路部とを備え、前記ＰＬＬ回路部のステップ周波数を前記テレビジョン信号を受信するときと前記ＦＭ放送信号を受信するときとで異ならせ、前記テレビジョン信号を受信するときには３１．２５ＫＨＺとし、前記ＦＭ放送信号を受信するときには５０ＫＨｚとしたことを特徴とするテレビジョンチューナ。
【請求項２】
前記ＰＬＬ回路部は、前記局部発振信号の周波数を設定するとともに、前記局部発振信号の周波数を分周する第一の可変分周器と、所定周波数の基準発振信号を出力する基準発振器と、前記所定周波数を分周する第二の可変分周器と、前記第一の可変分周器で分周された前記局部発振信号と前記第二の可変分周器で分周された前記基準発振信号とが入力されるとともに、位相差に対応した誤差信号を発生する位相比較器と、前記誤差信号を平滑するとともに、平滑された直流電圧を制御電圧として前記局部発振器に入力するローパスフィルタとを有し、前記第二の可変分周器の分周比を切り替えることによって前記ステップ周波数を異ならせたことを特徴とする請求項１記載のテレビジョンチューナ。
【請求項３】
前記第二の可変分周器は少なくとも二つの分周比を有するとともに分周比切り替え端子を備え、少なくとも前記テレビジョン信号と前記ＦＭ放送信号との受信を切り替えるための切り替え電圧を発生する切り替え電圧発生回路を設け、前記ＦＭ放送信号を受信するときに、前記切り替え電圧を前記分周比切り替え端子に入力して前記分周比を切り替えて前記ステップ周波数を異ならせたことを特徴とする請求項２記載のテレビジョンチューナ。
【発明の詳細な説明】
【０００１】
【発明の属する技術分野】
本発明は、ＰＬＬ回路を用いて局部発振器の発振周波数を制御するとともに、テレビジョン信号とＦＭ放送信号との双方を受信可能としたテレビジョンチューナに関する。
【０００２】
【従来の技術】
従来のテレビジョンチューナは、図４に示すように、ＶＨＦチューナ部２１と、ＵＨＦチューナ部２２と、ＰＬＬ回路部２３と、選局制御回路部２４とを有し、ＶＨＦチューナ部２１にはＶＨＦ帯のテレビジョン信号ＴＶとＦＭ放送信号ＦＭとが入力され、ＵＨＦチューナ部２２にはＵＨＦ帯のテレビジョン信号ＴＵが入力される。ＶＨＦチューナ部２１は、ＶＨＦ帯のテレビジョン信号ＴＶとＦＭ放送信号ＦＭとを切り替えて受信するためのＦＭ切り替え回路２１ａと、同調回路２１ｂと、混合器２１ｃと、局部発振器２１ｄ等を有し、混合器２１ｃから中間周波信号ＩＦが出力される。
【０００３】
同調回路２１ｂはＶＨＦ帯のハイバンド（高域）のテレビジョン信号を受信する場合と、ＶＨＦ帯のローバンド（低域）のテレビジョン信号を受信する場合とに切り替えられるようになっている。なお、ＦＭ放送信号は、同調回路２１ｂはＶＨＦ帯のローバンドのテレビジョン信号を受信するように切り替えられた状態で受信可能となっている。さらに、図示はしないが、ＵＨＦチューナ部２２も同調回路、混合器等を有し、ＵＨＦ帯のテレビジョン信号の中間周波信号はＶＨＦチューナ部２１の混合器２１ｃを介して出力される。
【０００４】
ＰＬＬ回路部２３は、第一の固定分周器２３ａと、可変分周器２３ｂと、位相比較器２３ｃと、ローパスフィルタ２３ｄと、第二の固定分周器２３ｅと、基準発振器２３ｆとを有し、第一の固定分周器２３ａと可変分周器２３ｂと位相比較器２３ｃとローパスフィルタ２３ｄとが、局部発振器２１ｄとともに閉ループを構成している。第一の固定分周器２３ａは、局部発振器２１ｄが出力する局部発振信号の周波数を所定の分周比で分周する。可変分周器２３ｂは、受信チャンネル（または周波数）に対応して選局制御回路部２４から出力される分周比データＤＡに基づいて、固定分周器２３ａで分周された局部発振信号の周波数をさらに分周して位相比較器２３ｃに出力する。
【０００５】
一方、基準発振器２３ｆから出力される基準発振信号も第二の固定分周器２３ｅで分周され、基準周波数となって位相比較器２３ｃに入力され、そして、位相比較器２３ｃでは二つの信号の位相が比較されて位相差に対応する誤差信号がローパスフィルタ２３ｄに出力される。ローパスフィルタ２３ｄは誤差信号を平滑して直流電圧とし、これを制御電圧として局部発振器２１ｄのバラクタダイオード（図示せず）に印加し、局部発振器２１ｄが出力する局部発振信号の周波数が一定になるように制御している。
【０００６】
なお、選局制御回路部２４は、図示しないテレビジョン受信機の選局操作部からの選局信号Ｓを受けて、可変分周器２３ｂに分周比データＤＡを出力するとともに、ＶＨＦチューナ部２１およびＵＨＦチューナ部２２に対して、切り替え電圧ＢＳ１乃至ＢＳ４を出力する。ここで、切り替え電圧ＢＳ１はローバンドのテレビジョン信号の受信時、ＢＳ２はハイバンドのテレビジョン信号の受信時、ＢＳ３はＦＭ放送信号の受信時、ＢＳ４はＵＨＦ帯のテレビジョン信号の受信時にそれぞれ出力される。そして、切り替え電圧ＢＳ１とＢＳ２とは、ＶＨＦチューナ部２１の同調回路２１ｂに供給され、切り替え電圧ＢＳ３はＶＨＦチューナ部２１のＦＭ切り替え回路２１ａに供給される。また、切り替え電圧ＢＳ４はＵＨＦチューナ部２２に供給される。
【０００７】
そして、同調回路２１ｂは、切り替え電圧ＢＳ１によってＶＨＦ帯のローバンドのテレビジョン信号またはＦＭ放送信号に同調可能に切り替えられ、切り替え電圧ＢＳ２によってＶＨＦ帯のハイバンドのテレビジョン信号に同調可能に切り替えられる。また、ＦＭ切り替え回路２１ａは、切り替え電圧ＢＳ３によってＦＭ放送信号を同調回路部２１ｂに出力する。さらに、切り替え電圧ＢＳ４は、ＵＨＦチューナ部２２を動作状態にする。
【０００８】
ところで、テレビジョンチューナに入力されるＶＨＦ帯のテレビジョン信号ＴＶ、ＵＨＦ帯のテレビジョン信号ＴＵには、いわゆる地上波のテレビジョン信号とケーブルを介して送られてくるＣＡＴＶのテレビジョン信号（ＣＡＴＶ信号という）とがあり、地上波のテレビジョン信号は、いわゆる標準の周波数配列となっているが、ＣＡＴＶ信号の周波数は、対応する地上波のテレビジョン信号の周波数に対して、若干ずれている場合が多い。これは、一般にオフセットと呼ばれ、オフセット周波数は、およそ数ＫＨｚから１０数ＫＨｚの範囲となっている。従って、オフセットされたチャンネルでも或程度の周波数精度で受信できるように、ＰＬＬ回路部２３のステップ周波数は、５０ＫＨｚではなく、一般に３１．２５ＫＨｚに設定されている。
【０００９】
ここで、ステップ周波数は、局部発振器２１ｄが出力する局部発振信号の最小周波数間隔を示し、位相比較器２３ｃに入力される比較周波数と固定分周器２３ａの分周比で決まる。通常、基準発振器２３ｆの発振周波数は４ＭＨｚ、第二の固定分周器２３ｅの分周比は１０２４に設定されているので基準周波数は４０００／１０２４＝３．９０６２５ＫＨｚとなる。従って、ステップ周波数を３１．２５ＫＨｚにするためには、固定分周器２３ａの分周比は、３１．２５／３．９０６２５＝８に設定される。
【００１０】
【発明が解決しようとする課題】
ところで、ＦＭ放送信号の周波数は１００ＫＨｚ間隔で、しかも、周波数の最小単位が１００ＫＨｚとなっている。そのため、ＰＬＬ回路部２３のステップ周波数が３１．２５ＫＨｚであると、多くのＦＭ放送周波数に対して、局部発振器２１ｄの発振周波数が１０数ＫＨｚずれることになり、このため、ＦＭ放送の音質を損なうことになる。
そこで、本発明のテレビジョンチューナは、ＦＭ放送信号を受信するときのＰＬＬ回路部２３のステップ周波数を、テレビジョン信号を受信するときのステップ周波数と異ならせて、ＦＭ放送信号をジャストチューニングできるようにする。
【００１１】
【課題を解決するための手段】
上記課題を解決するため、本発明のテレビジョンチューナは、テレビジョン信号とＦＭ放送信号とを中間周波信号に周波数変換する混合器と、前記混合器に局部発振信号を出力する局部発振器と、前記局部発振信号の周波数を前記テレビジョン信号の周波数または前記ＦＭ放送信号の周波数に対応して設定するとともに、一定に制御するＰＬＬ回路部とを備え、前記ＰＬＬ回路部のステップ周波数を前記テレビジョン信号を受信するときと前記ＦＭ放送信号を受信するときとで異ならせ、前記テレビジョン信号を受信するときには３１．２５ＫＨＺとし、前記ＦＭ放送信号を受信するときには５０ＫＨｚとした。
【００１２】
また、本発明のテレビジョンチューナは、前記ＰＬＬ回路部は、前記局部発振信号の周波数を設定するとともに、前記局部発振信号の周波数を分周する第一の可変分周器と、所定周波数の基準発振信号を出力する基準発振器と、前記所定周波数を分周する第二の可変分周器と、前記第一の可変分周器で分周された前記局部発振信号と前記第二の可変分周器で分周された前記基準発振信号とが入力されるとともに、位相差に対応した誤差信号を発生する位相比較器と、前記誤差信号を平滑するとともに、平滑された直流電圧を制御電圧として前記局部発振器に入力するローパスフィルタとを有し、前記第二の可変分周器の分周比を切り替えることによって前記ステップ周波数を異ならせた。
【００１３】
また、本発明のテレビジョンチューナは、前記第二の可変分周器は少なくとも二つの分周比を有するとともに分周比切り替え端子を備え、少なくとも前記テレビジョン信号と前記ＦＭ放送信号との受信を切り替えるための切り替え電圧を発生する切り替え電圧発生回路を設け、前記ＦＭ放送信号を受信するときに、前記切り替え電圧を前記分周比切り替え端子に入力して前記分周比を切り替えて前記ステップ周波数を異ならせた。
【００１４】
【発明の実施の形態】
本発明のテレビジョンチューナは、図１に示すように、ＶＨＦチューナ部１とＵＨＦチューナ部２と、ＰＬＬ回路部３と、選局制御回路部４とを有し、選局制御回路部４によってＶＨＦチューナ部１とＵＨＦチューナ部２とＰＬＬ回路部３との動作が制御される。ＶＨＦチューナ部１にはＶＨＦ帯のテレビジョン信号ＴＶとＦＭ放送信号ＦＭとが入力され、ＵＨＦチューナ部２にはＵＨＦ帯のテレビジョン信号ＴＵが入力される。
【００１５】
ＶＨＦチューナ部１は、ＶＨＦ帯のテレビジョン信号ＴＶとＦＭ放送信号ＦＭとを切り替えて受信するためのＦＭ切り替え回路１ａと、同調回路１ｂと、混合器１ｃと、局部発振器１ｄ等を有し、混合器１ｃから中間周波信号ＩＦが出力される。同調回路１ｂはＶＨＦ帯のハイバンド（高域）に同調する場合と、ＶＨＦ帯のローバンド（低域）に同調する場合とに切り替えられる。ここで、ＦＭ放送信号は、同調回路１ｂがＶＨＦ帯のローバンドに同調するように切り替えられた状態で受信可能となっている。局部発振器１ｄはＰＬＬ回路部３によって発振周波数が制御される。また、図示はしないが、ＵＨＦチューナ部２も同調回路、混合器、局部発振器等を有し、ＵＨＦチューナ部２からの中間周波信号はＶＨＦチューナ部１の混合器１ｃを介して出力される。なお、ＵＨＦチューナ部２の局部発振器もＰＬＬ回路部３によって発振周波数が制御されるが図示は省略している。
【００１６】
ＰＬＬ回路部３は、固定分周器３ａと、第一の可変分周器３ｂと、位相比較器３ｃと、ローパスフィルタ３ｄと、第二の可変分周器３ｅと、基準発振器器３ｆとを有している。そして、固定分周器３ａと第一の可変分周器３ｂと位相比較器３ｃとローパスフィルタ３ｄとが、局部発振器１ｄとともに閉ループを構成している。固定分周器３ａは、局部発振器１ｄが出力する局部発振信号の周波数を所定の分周比で分周する。第一の可変分周器３ｂは、受信チャンネル（または受信周波数）に対応して選局制御回路部４から出力される分周比データＤＡに基づいて、固定分周器３ａで分周された局部発振信号の周波数をさらに分周して位相比較器３ｃに出力する。ここで、固定分周器３ａの分周比は８に設定されている。
【００１７】
一方、基準発振器３ｆから出力される基準発振信号も第二の可変分周器３ｅで分周され、比較周波数として位相比較器３ｃに入力される。そして、位相比較器３ｃでは二つの信号の位相が比較されて位相差に応じた誤差信号がローパスフィルタ３ｄに出力される。ローパスフィルタ３ｄは誤差信号を平滑して直流電圧とし、これを制御電圧として局部発振器１ｄのバラクタダイオード（図示せず）に印加し、局部発振器１ｄが出力する局部発振信号の周波数が一定になるように制御している。
【００１８】
ここで、第二の可変分周器３ｅは、少なくとも１／１０２４または１／６４０の二つの分周比を有するとともに、分周比切り替え端子３ｅ１を有し、この分周比切り替え端子３ｅ１に印加される分周比切り替え電圧（信号）によって、その分周比が１／１０２４または１／６４０に切り替えられるようになっている。
従って、基準発振器３ｆから出力される基準発振信号の周波数を４ＭＨｚに設定すれば、位相比較器３ｃに入力される比較周波数は４０００／１０２４＝３．９０６２５ＫＨｚまたは４０００／６４０＝６．２５ＫＨｚとなる。故に、ＰＬＬ回路部３のステップ周波数は、３．９０６２５×８＝３１．２５ＫＨｚまたは６．２５×８＝５０ＫＨｚとなる。
【００１９】
選局制御回路部４は、インターフェイス４ａと切り替え電圧発生回路４ｂとを有し、図示しないテレビジョン受信機の選局操作部からの選局データＳを受けて、ＶＨＦチューナ部１、ＵＨＦチューナ部２およびＰＬＬ回路部３の動作を制御する。選局データＳは、例えば、４ビットのバンドデータと１５ビットの周波数データとからなる１９ビットのシリアルデータで構成され、インターフェイス４ａは周波数データに基づいて所定の分周比を得るための分周比データＤＡを第一の可変分周器３ｂに出力する。バンドデータは切り替え電圧発生回路４ｂに入力される。切り替え電圧発生回路４ｂは、選局されたテレビジョン信号等が属する受信バンド（帯域）に対応して切り替え電圧を発生し、ＶＨＦチューナ部１、ＵＨＦチューナ部２の受信状態を制御し、図２に示すように、四個のスイッチトランジスタＱ１、Ｑ２、Ｑ３、Ｑ４を有し、各コレクタには電源電圧Ｂが印加されている。
【００２０】
そして、各エミッタが出力ポートＰ１、Ｐ２、Ｐ３、Ｐ４となり、選局されたテレビジョン信号またはＦＭ信号の受信バンドに対応して、各出力ポートからそれぞれ切り替え電圧ＢＳ１、ＢＳ２、ＢＳ３、ＢＳ４を出力する。例えば、図３に示すように、ＶＨＦ帯のローバンドのテレビジョン信号（ＶＨＦ／Ｌｏ）を受信するときには、出力ポートＰ１にのみ切り替え電圧ＢＳ１が出力され、ＶＨＦ帯のハイバンドのテレビジョン信号（ＶＨＦ／Ｈｉ）を受信するときには、出力ポートＰ２にのみ切り替え電圧ＢＳ２が出力され、ＵＨＦ帯のテレビジョン信号（ＵＨＦ）を受信するときには出力ポートＰ４にのみ切り替え電圧ＢＳ４が出力される。また、ＦＭ放送信号を受信するときには、出力ポートＰ１に切り替え電圧ＢＳ１が出力されるとともに、出力ポートＰ３にも切り替え電圧ＢＳ３が出力される。なお、各切り替え電圧ＢＳ１乃至ＢＳ４の大きさは、スイッチトランジスタＱ１乃至Ｑ４のコレクタに印加されている電圧Ｂとなる。
【００２１】
そして、出力ポートＰ１とＰ２はＶＨＦチューナ部１の同調回路１ｂに接続され、出力ポートＰ３はＦＭ切り替え回路１ａと第二の可変分周回路３ｅの分周比切り替え端子３ｅ１とに接続され、出力ポートＰ４はＵＨＦチューナ部２に接続されている。そして、例えば、ＶＨＦ帯のローバンドのテレビジョン信号を受信する場合は、出力ポートＰ１に現れた電圧ＢＳ１がＶＨＦチューナ部２の同調回路１ｂに供給され、同調回路１ｂがＶＨＦ帯のローバンドに同調するように切り替えられる。また、ＶＨＦ帯のハイバンドのテレビジョン信号を受信する場合は、出力ポートＰ２に現れた切り替え電圧ＢＳ２がＶＨＦチューナ部２の同調回路１ｂに供給され、同調回路１ｂがＶＨＦ帯のハイバンドに同調するように切り替えられる。ＵＨＦ帯のテレビジョン信号を受信する場合は、出力ポートＰ４に現れた切り替え電圧ＢＳ４がＵＨＦチューナ部２に供給されてＵＨＦチューナ部２が動作する。
【００２２】
さらに、ＦＭ放送信号を受信する場合は、出力ポートＰ１と出力ポートＰ３とにそれぞれ切り替え電圧ＢＳ１とＢＳ３が現れる。そして、切り替え電圧ＢＳ１が同調回路１ｂに供給されてこの同調回路１ｂがＶＨＦ帯のロバンドに同調するように切り替えられる。一方、出力ポートＰ３の切り替え電圧ＢＳ３がＦＭ切り替え回路１ａに供給されて、ＦＭ放送信号が受信可能となる。また、出力ポートＰ３の切り替え電圧ＢＳ３は第二の可変分周器３ｅにも供給される。これによって、第二の可変分周器３ｅの分周比は１／１０２４から１／６４０に切り替えられる（第二の可変分周器３ｅの分周比は通常１／１０２４になっており、切り替え電圧ＢＳ３が供給されたときのみ１／６４０に切り替えられる）。
【００２３】
以上のように、ＰＬＬ回路部３における第二の可変分周器３ｅの分周比を切り替えることによって、ＰＬＬ回路部３のステップ周波数が異なって、テレビジョン信号を受信するときは３１．２５ＫＨｚとなり、ＦＭ放送信号を受信するときは５０ＫＨｚとなる。
従って、本発明によれば、周波数がオフセットされたテレビジョン信号を或程度の周波数精度で受信できて、ＦＭ放送信号を受信する場合には、いわゆるジャストチューニングができる。
【００２４】
しかも、ＶＨＦチューナ部１におけるテレビジョン信号とＦＭ放送信号との切り替えのためのＦＭ切り替え回路１ａに供給する切り替え電圧ＢＳ３を用いて第二の可変分周器３ｅの分周比を簡単に切り替えられる。
【００２５】
【発明の効果】
以上のように、本発明のテレビジョンチューナは、局部発振信号の周波数をテレビジョン信号の周波数またはＦＭ放送信号の周波数に対応して設定するとともに、一定に制御するＰＬＬ回路部のステップ周波数をテレビジョン信号を受信するときとＦＭ放送信号を受信するときとで異ならせ、テレビジョン信号を受信するときには３１．２５ＫＨＺとし、ＦＭ放送信号を受信するときには５０ＫＨｚとしたので、周波数がオフセットされたテレビジョン信号を或程度の周波数精度で受信できて、ＦＭ放送信号を受信する場合には、いわゆるジャストチューニングができる。
【００２６】
また、本発明のテレビジョンチューナは、ＰＬＬ回路部に基準発振器からの発振信号を分周する第二の可変分周器を備え、この可変分周器の分周比を切り替えることによってステップ周波数を異ならせるようにしたので、ＰＬＬ回路部の閉ループの構成を変更せずに、ステップ周波数の変更が簡単にできる。
【００２７】
また、本発明のテレビジョンチューナは、第二の可変分周器は少なくとも二つの分周比を有するとともに分周比切り替え端子を備え、ＦＭ放送信号を受信するときに、切り替え電圧を分周比切り替え端子に入力して分周比を切り替えてステップ周波数を異ならせたので、受信バンドを切り替えるための切り替え電圧によって簡単にステップ周波数を異ならせることができる。
【図面の簡単な説明】
【図１】本発明のテレビジョンチューナの構成を示す回路図である。
【図２】本発明のテレビジョンチューナにおける切り替え電圧発生回路の構成を示す回路図である。
【図３】本発明のテレビジョンチューナにおける切り替え電圧発生回路の受信バンドと切り替え電圧との関係図である。
【図４】従来のテレビジョンチューナの構成を示す回路図である。
【符号の説明】
１  ＶＨＦチューナ部
１ａ  ＦＭ切り替え回路
１ｂ  同調回路
１ｃ  混合器
１ｄ  局部発振器
２  ＵＨＦチューナ部
３  ＰＬＬ回路部
３ａ  固定分周器
３ｂ  第一の可変分周器
３ｃ  位相比較器
３ｄ  ローパスフィルタ
３ｅ  第二の可変分周器
３ｅ１  分周比切り替え端子
３ｆ  基準発振器
４  選局制御回路部
４ａ  インターフェイス
４ｂ  切り替え電圧発生回路
Ｑ１、Ｑ２、Ｑ３、Ｑ４  スイッチトランジスタ
Ｐ１、Ｐ２、Ｐ３、Ｐ４  出力ポート
Ｓ  選局信号
ＤＡ  分周比データ
ＤＢ  バンドデータ
ＢＳ１、ＢＳ２、ＢＳ３、ＢＳ４  切り替え電圧
【図１】
0003558876.tif 000002
【図２】
0003558876.tif 000003
【図３】
0003558876.tif 000004
【図４】
0003558876.tif 000005